(57)【要約】本発明は、飛行機の乗組員のための緊急装備（２，１７，１９）を格納するための収納デバイス（５０）に関するものである。収納デバイス（５０）は、格納位置とされた緊急装備（２，１７，１９）が、使用者が片手で把持し得るような少なくとも１つの把持面（２１）を備えており、これにより、緊急装備を頭上に装着し得るように、構成されている。緊急装備は、特に飛行補助に関する情報といったような情報を表示するための少なくとも１つの情報ディスプレイデバイス（２）によって構成されている。
2006523111.tif 000002
【特許請求の範囲】
【請求項１】
飛行機の乗組員のための緊急装備（２，１７，１９）を格納するための収納デバイスであって、
前記緊急装備が、使用者の頭に対して保持され得るよう構成されているものである場合に、
前記収納デバイスが、前記緊急装備が前記収納デバイス（１，５０）上におけるまたは前記収納デバイス（１，５０）内における格納位置にある場合に、使用者が片手でもって少なくとも１つの把持面（２１）を介して前記緊急装備（２，１７，１９）を把持し得るように、さらに、その片手を前記把持面（２１）上における実質的に同じ位置に維持しつつ前記緊急装備を使用位置へと頭上に装着し得るように、構成され、
前記収納デバイスが、特に飛行補助に関する情報といったような情報を表示するための少なくとも１つの情報ディスプレイデバイス（２）によって構成された前記緊急装備を受領し得るよう構成され、
前記ディスプレイデバイス（２）が、使用者の目の近くに保持され得るよう構成され、さらに、使用者の目の網膜上へと情報を付帯した光信号を投影し得るよう構成されていることを特徴とするデバイス。
【請求項２】
請求項１記載のデバイスにおいて、
テストデバイス（２２，２４，２５）を具備し、
このテストデバイスが、前記緊急装備が前記格納位置とされている状態でこのテストデバイスが起動された場合には、前記ディスプレイデバイス（２）からテスト用光信号（２３）を放出させるものとされ、
そのテスト用光信号（２３）が、使用者に見えるものとされ、これにより、使用者が、前記ディスプレイデバイス（２）が動作可能であることを視覚的に確認し得るものとされていることを特徴とするデバイス。
【請求項３】
請求項２記載のデバイスにおいて、
前記テストデバイス（２２，２４，２５）が、前記ディスプレイデバイス（２）からの前記テスト用光信号（２３）の放出を引き起こすための制御手段（２２）と、前記ディスプレイデバイス（２）からディスプレイユニット（２５）までにわたって前記テスト用光信号（２３）を伝達するための伝達手段（２４）と、を備え、
前記ディスプレイユニット（２５）のところにおいては、使用者は、前記テスト用光信号（２３）を見ることができ、これにより、使用者は、前記緊急装備が前記格納位置にある場合に、前記ディスプレイデバイス（２）が動作可能であることを視覚的に確認し得るものとされていることを特徴とするデバイス。
【請求項４】
請求項３記載のデバイスにおいて、
前記ディスプレイデバイス（２）から前記ディスプレイユニット（２５）までにわたって前記テスト用光信号（２３）を伝達し得るよう構成された光導波路（２４）を備えていることを特徴とするデバイス。
【請求項５】
請求項１〜４のいずれか１項に記載のデバイスにおいて、
前記ディスプレイデバイス（２）からの前記テスト用光信号（２３）の放出を引き起こすための制御手段として機能するボタン（２２）を備えていることを特徴とするデバイス。
【請求項６】
請求項１〜５のいずれか１項に記載のデバイスにおいて、
前記緊急装備が、ディスプレイデバイス（２）によって構成されているとともに、フェースマスクあるいは保護ゴーグルを着脱可能に取り付け得るよう構成されている、あるいは、使用者の頭に対して直接的に装着され得るよう構成されていることを特徴とするデバイス。
【請求項７】
請求項１〜５のいずれか１項に記載のデバイスにおいて、
前記緊急装備が、フェースマスク（１９）およびディスプレイデバイス（２）によって構成されていることを特徴とするデバイス。
【請求項８】
請求項１〜５のいずれか１項に記載のデバイスにおいて、
前記緊急装備が、フェースマスク（１９）と保護ゴーグル（１７）とディスプレイデバイス（２）とによって構成されていることを特徴とするデバイス。
【請求項９】
請求項１〜８のいずれか１項に記載のデバイスにおいて、
前記収納デバイスが、ボックス（５０）とされ、
このボックス（５０）が、
−前記緊急装備（２，１７，１９）のための容器を構成するとともに前方開口面（１１）が形成されたフレームであり、前記前方開口面を通して前記容器内へと前記緊急装備（２，１７，１９）が挿入されるような、また、前記前方開口面を通して前記容器内から前記緊急装備（２，１７，１９）が取り出されるような、フレームと；
−前記容器内に前記緊急装備（２，１７，１９）を配置したときに前記前方開口面（１１）を少なくとも部分的に閉塞するための少なくとも１つのフラップ（６，７）と；
を備え、
前記フラップ（６，７）が、少なくとも１つのノッチ（２０）を備え、
このノッチ（２０）を介して、前記把持面（２１）の少なくとも一部を、前記フラップ（６，７）の外面から突出させることができ、すなわち、前記ボックス（５０）から突出させることができ、
前記フラップ（６，７）が、開口を備え、
この開口を通して、前記ディスプレイデバイス（２）から放出されたテスト用光信号といったような光信号（２３）を見ることができるようになっていることを特徴とするデバイス。
【請求項１０】
請求項１〜８のいずれか１項に記載のデバイスにおいて、
スタンド（１）を具備し、
このスタンド（１）が、保護ゴーグル（１７）とディスプレイデバイス（２）とを互いに独立にかつ着脱可能に受領し得るよう構成されていることを特徴とするデバイス。
【請求項１１】
請求項１〜１０のいずれか１項に記載のデバイスにおいて、
バッグ（１００）を具備し、
このバッグ（１００）が、前記緊急装備（２，１７，１９）を受領し得るよう構成されていることを特徴とするデバイス。
【発明の詳細な説明】
【技術分野】
【０００１】
本発明は、航空機の乗組員のための緊急装備のための収納デバイスに関するものである。この種の緊急装備は、使用者の頭に着用し得るよう構成されている。そのような緊急装備は、一般に、フェースマスクと、煙からの保護をもたらすゴーグルと、および／または、情報を表示するためのデバイスと、から構成される。
【０００２】
より詳細には、本発明は、上述したタイプの緊急装備のための収納デバイスに関するものである。収納デバイスは、緊急装備が収納デバイス上においてあるいは収納デバイス内において格納状態とされている場合に、使用者が片手でもって少なくとも１つの把持面を介して緊急装備を保持することができ、さらに、その片手を把持面上において実質的に同じ位置に維持しつつ、緊急装備を使用状態として頭に対して着用し得るよう、構成されている。把持面に対するアクセスに際しては、付加的に、収納デバイスを開放することを必要とすることがあり得る。その際、例えば、保護および／または閉塞部材をまず最初に解放する。
【背景技術】
【０００３】
ボックスまたはスタンドという形態とされた収納デバイスは、例えばマスクおよび保護ゴーグルといったような緊急装備に関し、既に公知である。
【０００４】
そのような収納デバイスは、格納している緊急装備を保護することにおいて重要である。また、収納デバイスは、緊急装備を格納するための所定位置を有しているという必要性を満たしている。これにより、飛行機の乗組員は、急いで緊急装備必要とした際に、それをすぐにかつ確実に探すことができる。
【０００５】
しかしながら、ある条件下においては、飛行機の乗組員が、制御パネル上に表示されない情報や制御パネル上で既に見えなくなった情報をあるいはアクセスが困難であるような情報を、所望したり必要としたりすることがあり得る。これは、特に、コックピット内に煙が充満した場合に、当てはまる。その場合、飛行機の乗組員は、必要とする情報を早く見る必要がある。なお、本出願人の知る限りにおいては、本出願に関連性を有する先行技術文献は存在しない。
【発明の開示】
【課題を解決するための手段】
【０００６】
本発明の目的は、飛行機の乗組員の上記要求に応えることである。
【０００７】
この目的のために、本発明は、収納デバイスを提供するものである。本発明による収納デバイスは、上記特徴点に加えて、特に飛行補助に関する情報といったような情報を表示するための少なくとも１つの情報ディスプレイデバイスによって構成された緊急装備を受領し得るよう構成され、ディスプレイデバイスが、使用者の目の近くに保持され得るよう構成され、さらに、使用者の目の網膜上へと情報を付帯した光信号を投影し得るよう構成されていることを特徴としている。
【０００８】
これら構成に基づき、飛行機の乗組員は、デバイスに対して信頼性高くかつ迅速にかつ人間工学的にアクセスすることができ、情報を見ることができる。よって、本発明により、飛行機の乗組員に対して、緊急情報閲覧デバイスを容易に装着させることができる。
【０００９】
本発明の好ましい実施形態においては、以下のような様々な構成の中の１つまたは複数の構成を付加的に備えることができる。
−収納デバイスが、テストデバイスを具備し、このテストデバイスが、緊急装備が格納位置とされている状態でこのテストデバイスが起動された場合には、ディスプレイデバイスからテスト用光信号を放出させるものとされ、そのテスト用光信号が、使用者に見えるものとされ、これにより、ディスプレイデバイスを格納位置から取り出す必要なく、使用者が、ディスプレイデバイスが動作可能であることを視覚的に確認し得るものとされているような構成。この構成により、メンテナンス時間を短縮し得るだけでなく、不適切な取扱いによってディスプレイデバイスを損傷させてしまうことがない。すなわち、メンテナンスに際してディスプレイデバイスを取り出す方式であると、ディスプレイデバイスを収納デバイス内に戻す際に、取扱いが不適切であれば、ディスプレイデバイスを損傷させてしまう可能性があり、それでは、メンテナンス操作自体が元も子もなくなってしまう。本発明のこの構成であれば、メンテナンスに際してディスプレイデバイスを取り出す必要がないので、そのような懸念がない。
−テストデバイスが、ディスプレイデバイスからのテスト用光信号の放出を引き起こすための制御手段と、ディスプレイデバイスからディスプレイユニットまでにわたってテスト用光信号を伝達するための伝達手段と、を備え、ディスプレイユニットのところにおいては、使用者は、テスト用光信号を見ることができ、これにより、使用者は、緊急装備が格納位置にある場合に、ディスプレイデバイスが動作可能であることを視覚的に確認し得るものとされているような構成。
−収納デバイスが、ディスプレイデバイスからのテスト用光信号の放出を引き起こすための制御手段として機能するボタンを備えているという構成。
−収納デバイスが、ディスプレイデバイスからディスプレイユニットまでにわたってテスト用光信号を伝達し得るよう構成された光導波路を備えているという構成。
−緊急装備が、ディスプレイデバイスだけによって構成されているとともに、フェースマスクあるいは保護ゴーグルを着脱可能に取り付け得るよう構成されている、あるいは、使用者の頭に対して直接的に装着され得るよう構成されているという構成。
−緊急装備が、フェースマスクおよびディスプレイデバイスによって構成されているという構成。
−収納デバイスが、ボックスとされ、このボックスが、
−緊急装備のための容器を構成するとともに前方開口面が形成されたフレームであり、前方開口面を通して容器内へと緊急装備が挿入されるような、また、前方開口面を通して容器内から緊急装備が取り出されるような、フレームと；
−容器内に緊急装備を配置したときに前方開口面を少なくとも部分的に閉塞するための少なくとも１つのフラップと；を備え、
この場合、フラップが、少なくとも１つのノッチを備え、このノッチを介して、把持面の少なくとも一部を、フラップの外面から突出させることができ、すなわち、ボックスから突出させることができ、フラップが、開口を備え、この開口を通して、ディスプレイデバイスから放出されたテスト用光信号といったような光信号を見ることができるようになっているという構成。
−収納デバイスが、スタンドを具備し、このスタンドが、保護ゴーグルとディスプレイデバイスとを互いに独立にかつ着脱可能に受領し得るよう構成されているという構成。
−収納デバイスが、バッグを具備し、このバッグが、緊急装備を受領し得るよう構成されているという構成。
【発明を実施するための最良の形態】
【００１０】
本発明の他の見地や目的や利点は、様々な実施形態に関する以下の説明を読むことにより、明瞭となるであろう。
【００１１】
本発明は、添付図面を参照することによって、より明瞭に理解されるであろう。
【００１２】
添付図面においては、同一の部材または同様の部材には、同じ符号が付されている。
【００１３】
第１実施形態においては、図１に示すように、本発明による収納デバイスは、ディスプレイデバイス２のためのスタンドボックス１である。
【００１４】
例示するならば、ディスプレイデバイス２は、米国ワシントン州 Bothell 所在の
Microvision Inc.社によって市販されているタイプのものとされる。このディスプレイデバイスは、ボディ３を備えている。ボディ３は、使用者の額に対して装着され得るよう構成されたものであり、使用時には、弾性手段（図示せず）を介して所定位置に保持される。ディスプレイデバイス２は、さらに、光学的伝達手段４を備えている。光学的伝達手段４は、光信号を伝達し得るよう構成されているとともに、ディスプレイデバイスが使用位置とされている場合には、使用者の網膜上へと光信号を反射し得るよう構成されている。
【００１５】
スタンドボックス１は、背面壁５と、２つのドア６，７と、を備えている。変形例においては、スタンドボックス１は、より多くの数のドアを備えることができる。例えば、四隅といったように対称的に配置された４つのドアを備えることができる。ドア６，７は、閉じた状態では、スタンドボックス１の外から見ると、実質的に凸状とされている。ドア６，７は、透明なものとされ、これにより、ディスプレイデバイス２がスタンドボックス１の中にあることを視覚的に確認することができる。
【００１６】
背面壁５は、実質的に矩形形状のものであって、この背面壁からは、２つの側壁８と、頂壁９と、底壁１０と、が延出されている。これら４つの壁は、ボックスの背面壁５から実質的に垂直に延出され、実質的に矩形の開口面１１を形成している。
【００１７】
背面壁５は、例えばコックピットの隔壁といったような支持体に対してスタンドボックス１を固定するのに適した穴内へと２つの突起を嵌合させることによって、飛行機の乗組員の手が届くところに、保持される。
【００１８】
各側壁８には、ヒンジ１２が設けられている。各ヒンジ１２は、それぞれ対応するドア６，７を支持する。これにより、ドア６，７は、開口面１１の１つの短辺に対して実質的に平行な軸回りに開閉することができる。ドア６，７は、背面壁５に対してヒンジ連結されており、少なくとも２つの限界位置の間にわたって移動することができる。すなわち、ドア６，７がディスプレイデバイス２の少なくとも一部をカバーした閉塞位置と、ドア６，７が互いに離間する向きに移動しこれによりスタンドボックス１からディスプレイデバイス２を取り出し得るものとされた開放位置と、の間にわたって移動することができる。
【００１９】
ヒンジ１２は、双安定性である。ヒンジ１２は、ドア６，７が閉じられている位置に対応した第１安定位置を有している。この位置においては、ヒンジ１２は、ディスプレイデバイス２が背面壁５に対して押圧されていない場合であってさえも、ディスプレイデバイス２を、背面壁５とドア６，７との間において、十分な力でもってボックス１内に保持し得るよう構成されている。ヒンジ１２は、ドア６，７が開けられたいる位置に対応した第２安定位置を有している。この第２安定位置は、ドア６，７が偶発的に閉じてしまうことを防止し得るものとされている。このようにして、使用者は、スタンドボックス１内へとディスプレイデバイス２を片手で戻すことができる。なぜなら、ドア６，７が開いたままであるからである。
【００２０】
各ドア６，７は、閉塞エッジ１３を備えている。この閉塞エッジ１３は、上ノッチ１４および下ノッチ１５を有している。
【００２１】
ドア６の上ノッチ１４と、他方のドア７の上ノッチとは、互いに協働することによって、ディスプレイデバイス２の１つのエッジ上における位置Ｈに第１の指を位置合わせすることを可能とするように、機能する。ドア６の下ノッチ１５と、他方のドア７の下ノッチとは、互いに協働することによって、ディスプレイデバイス２の他方のエッジ上における位置Ｂに第２の指を位置合わせすることを可能とする実質的に三角形状の切欠を形成することができる。よって、使用者は、位置ＢおよびＨのそれぞれに位置させた２本の指の間に把持面を挟むことによって、ディスプレイデバイス２を把持することができ、片手だけを使用して、スタンドボックス１からディスプレイデバイス２を取り出すことができる。ドア６，７の凸状形状がそのような取出を妨害しないことにより、ドアを予め開ける必要がない。
【００２２】
ディスプレイデバイス２を片手で把持しながら、使用者は、そのディスプレイデバイス２を離してしまうことなく、他方の手を使用して、使用者の頭の回りに弾性手段を取り付けることができる。
【００２３】
ビデオシステム（図示せず）に対してディスプレイデバイス２を接続するためのケーブルを通し得るよう、ドア６，７のうちの一方には、切欠１６が形成されている。変形例においては、ディスプレイデバイスは、ビデオシステムに対して接続する必要なく、動作する。そのような状況下では、切欠１６を設ける必要はない。
【００２４】
変形例においては、ディスプレイデバイス２は、煙に対する保護をもたらすためのゴーグルに対して、および／または、フェースマスク（すなわち、口と鼻とをカバーする呼吸用マスク）に対して、および／または、いわゆる『フルフェース』マスクに対して、固定し得るよう構成される。そのような状況下では、弾性手段ではなく、ゴーグルに対しての固定を行うためのまたはフェースマスクに対しての固定を行うためのに固定手段が設けられる。
【００２５】
第２実施形態においては、図２に示すように、本発明による収納デバイスは、ディスプレイデバイス２が付設された保護ゴーグル１７のためのスタンドボックス１とされる。ディスプレイデバイス２は、上述したものと同様のものとすることができる（弾性手段は、例外として）。加えて、ディスプレイデバイス２は、保護ゴーグル１７に対して、固定的にあるいは着脱可能に、取り付けることができる。
【００２６】
この実施形態におけるスタンドボックス１は、第１実施形態に関して上述したものと比較して、実質的に同じ形状と実質的に同じ構造とを有している。上ノッチ１４および下ノッチ１５の形状は、保護ゴーグル１７の形状に応じたものとされる。より詳細には、下ノッチ１５は、フェースマスクに対して保護ゴーグル１７を固定するためのロック手段１８上に配置される把持面を形成するものとされる。したがって、使用者は、高位置Ｈと低位置Ｂとの間において、ロック手段１８を挟むことによって、あるいは、保護ゴーグル１７を挟むことによって、保護ゴーグル１７を把持することができる。
【００２７】
変形例においては、保護ゴーグル１７は、ロック手段を備えておらず弾性手段（図示せず）によって使用者の頭に保持されるような保護ゴーグルである。このような状況下では、使用者は、保護ゴーグル１７の頂部に位置したポイントＨと、保護ゴーグル１７の使用位置において鼻ブリッジ上に配置されることを意図したサドル形状ポイントＭと、に実質的に位置させた２本の指の間において、保護ゴーグル１７を把持する。これにより、保護ゴーグル１７をスタンドボックス１から取り出すことができる。
【００２８】
第３実施形態においては、図３に示すように、本発明による収納デバイスは、フェースマスク１９と保護ゴーグル１７とディスプレイデバイス２とによって構成された緊急装備のための収納ボックス５０とされる。収納ボックス５０は、緊急装備を受領するためのレセプタクルの前方開口面１１を形成するようなフレームを備えている。緊急装備は、前方開口面１１を通して、レセプタクル内へと挿入されたり、あるいは、レセプタクルから取り出されたり、する。
【００２９】
収納ボックス５０には、２つのドア６，７が設けられている。各ドア６，７は、それぞれが他方のドア内のノッチと一致するようなノッチ２０を有している。これらノッチ２０により、フェースマスク１９の把持面２１を把持することができ、これにより、フェースマスク１９を収納ボックス５０の外部へと取り出すことができる。
【００３０】
収納ボックス５０内に格納された緊急装備のディスプレイデバイス２は、既に接続されている。ディスプレイデバイス２は、ドア６，７を開く際にドアに対して接触することによって、スイッチオンすることができる。また、テストボタン２２を、ドア６，７の一方（この場合には、ドア６）の外面上に配置することができる。テストボタン２２により、一時的に、ディスプレイデバイス２をスイッチオンすることができる。その後、ディスプレイデバイス２によって、光信号２３が放射される。この光信号２３は、光導波路２４を照射する。光導波路２４は、ディスプレイデバイス２によって生成された光の少なくとも一部を、ディスプレイユニット２５を形成する端部に対して、伝達する。このディスプレイユニット２５は、内部に形成された開口を介して、ドア６，７の一方（この場合には、ドア７）に対して面一なものとされる。したがって、使用者は、収納ボックス５０から緊急装備を抽出することなく、ディスプレイデバイス２が動作可能であるかどうかをテストすることができる。
【００３１】
変形例においては、収納ボックス５０は、図４に示すようないわゆる『フルフェース』マスクとして構成されたような、すなわち、互いに恒久的に連結されたフェースマスク１９と保護ゴーグル１７とによって構成されたような、緊急デバイスを受領し得るように構成されている。ディスプレイデバイス２は、保護ゴーグル１７に配置されており、保護ゴーグル１７に対して、一時的または恒久的に、取り付けることができる。図４に示すような変形例においては、ディスプレイデバイス２は、使用者の顔面上の所定位置に装着された際に保護ゴーグル１７の内部に配置されることとなる光学的伝達手段４を備えている。図示していない変形例においては、使用者の顔面上の所定位置に装着された際に、光学的伝達手段４が保護ゴーグル１７の外部に位置するようにして、ディスプレイデバイス２を保護ゴーグル１７に対して固定することができる。
【００３２】
第４実施形態においては、図５および図６に示すように、本発明による収納デバイスは、フェースマスク１９とディスプレイデバイス２とによって構成された緊急装備のための収納ボックス５０とされる。
【００３３】
図５に示すように、フェースマスク１９は、公知のタイプのものである（例えば、欧州特許出願公開第０ ２８８ ３９１号明細書を参照されたい）。このフェースマスク１９においては、このフェースマスク１９上に、固定的な態様でおよび／または着脱可能な態様でおよび／またはヒンジ連結的な態様で、ディスプレイデバイス２が取り付けられている。
【００３４】
図６に示すように、第４実施形態においては、収納ボックス５０は、第３実施形態に関して上述したものと実質的に同様である。上述したように、光学的テスト信号２３を伝搬させるための例えば光導波路２４といったような光伝達手段と、また、光信号２３を放出するための例えばテストボタン２２といったような制御手段と、が設けられている。
【００３５】
変形例（図示せず）においては、本発明による収納デバイスは、保護ゴーグル１７を設けつつあるいは設けることなく、ディスプレイデバイス２が取り付けられたフェースマスク１９を受領し得るように構成される。ディスプレイデバイス２が収納デバイス内において格納状態にある場合には、ディスプレイデバイス２は、例えばフェースマスク１９の外面に対してといったように、固定された退避位置となる。このような状況下では、テスト用光信号を伝達するための手段２３は、図３および図６に示すような位置とは異なる位置に、配置することができる。例えば、光導波路は、ディスプレイデバイスに対向する側壁上に（すなわち、ボックス５０のうちの、図３および図６において光導波路２４が配置されている壁に対して垂直であるような壁上に）配置することができる。
【００３６】
他の変形例（図示せず）においては、本発明による収納デバイスは、図４に示すようないわゆる『フルフェース』マスクを受領し得るよう構成されるものの、ディスプレイデバイス２が、保護ゴーグル１７上ではなく、図５に示すように、フェースマスク１９上に取り付けられる。
【００３７】
さらに他の変形例においては、ビデオシステムに対してディスプレイデバイス２を接続するためのケーブルは、保護ゴーグル１７内におよび／またはフェースマスク１９内に組み込まれ、その後、フェースマスクに１９に対して呼吸ガスを供給するためのパイプに対して固定される。
【００３８】
第５実施形態においては、図７および図８に示すように、本発明による収納デバイスは、フレキシブルなボックスまたはフレキシブルなバッグ１００とされる。バッグ１００は、実質的に平行六面体という形態とされており、実質的に鉛直方向をなす向きで吊すことを可能とするためのループ２６を備えている。バッグ１００の前方開口面１１は、下ドア７と上ドア６とによって、閉じられる。例示するならば、ドア６，７は、織物から形成される。ドア６，７は、バッグ１００をループ２６によって吊した際に実質的に水平方向に延在することとなる折曲線２７回りにおいて、開閉する。各ドア６，７は、前方開口面１１の実質的に半分をカバーする。ドアは、互いに連結される領域においては、Velcro（登録商標）タイプのファスナー２８によって、オーバーラップする。ファスナー２８の近傍において下ドア７に対して連結されたハンドル２９は、引っ張ることによって、ドア６，７を互いに離間させるように機能し、これにより、バッグ１００を開けることができる。バッグ１００の各側壁に固定された２つのストリップ３０，３１は、例えばVelcro（登録商標）タイプのものといったような固定手段によって、それぞれの自由端が互いに連結されている。これにより、この場合には保護ゴーグル１７とディスプレイデバイス２とが付設されたフェースマスク１９として構成された緊急デバイスを、下ドア７が垂れ下がった状態として、バッグ１００の下半分を露出した状態とすることができる（図８を参照）。その場合、フェースマスク１９の把持面２１は、ドア６の下方において突出しており、使用者の目から見えていて、アクセス可能である。よって、使用者は、把持面２１を把持することができ、緊急デバイスの全体を引っ張ることができ、バッグ１００から緊急デバイスを取り出すことができる。この取出を行う際には、ストリップ３０，３１は、互いに離間し、これにより、使用者は、緊急デバイスを取り出すことができて、緊急デバイスを頭に対して装着することができる。
【図面の簡単な説明】
【００３９】
【図１】本発明による収納デバイスの第１実施形態を概略的に示す斜視図であって、ディスプレイデバイスのためのスタンドに対応している。
【図２】本発明による収納デバイスの第２実施形態を示す斜視図であって、ディスプレイデバイスが付設された保護ゴーグルのためのスタンドに対応している。
【図３】本発明による収納デバイスの第３実施形態を、一部を破断して概略的に示す斜視図であって、保護ゴーグルとディスプレイデバイスとが付設されたフェースマスクのための収納ボックスに対応している。
【図４】図３のフェースマスクの変形例を示す概略的な斜視図である。
【図５】保護デバイスが付設されたフェースマスクを示す概略的な斜視図である。
【図６】図３と同様の図であって、本発明による収納デバイスの第４実施形態を示しており、ディスプレイデバイスが付設された図５に示すようなフェースマスクのための収納ボックスに対応している。
【図７】本発明による収納デバイスの第５実施形態を概略的に示す正面図であって、保護ゴーグルとディスプレイデバイスとが付設された呼吸デバイスのための収納バッグに対応しており、閉じた状態で図示されている。
【図８】図７の収納デバイスを概略的に示す側面図であって、開いた状態で図示されている。
【符号の説明】
【００４０】
１  スタンド（収納デバイス）
２  ディスプレイデバイス（緊急装備）
６  ドア（フラップ）
７  ドア（フラップ）
１１  前方開口面
１７  保護ゴーグル（緊急装備）
１９  フェースマスク（緊急装備）
２０  ノッチ
２１  把持面
２２  ボタン（制御手段、テストデバイス）
２３  テスト用光信号
２４  光導波路（伝達手段、テストデバイス）
２５  ディスプレイユニット（テストデバイス）
５０  ボックス（収納デバイス）
１００  バッグ（収納デバイス）
【図１】
2006523111.tif 000003
【図２】
2006523111.tif 000004
【図３】
2006523111.tif 000005
【図５】
2006523111.tif 000006
【図４】
2006523111.tif 000007
【図６】
2006523111.tif 000008
【図７】
2006523111.tif 000009
【図８】
2006523111.tif 000010
【国際調査報告】
2006523111.tif 000011
2006523111.tif 000012
2006523111.tif 000013